(57)【要約】【課題】製作し易く、その高さが低い、筆記具ホルダー及びそれを有する用箋挟みを提供する。【解決手段】この発明にかかる筆記具ホルダーは、筆記具ホルダー部２００における一方の面側に形成された、筆記具１００の軸１０２を支持する軸受部２１０と、筆記具ホルダー部２００における他方の面側に形成された、筆記具１００のクリップ１０４を当接するクリップ受部２３０とを含み、前記軸受部２１０は、筆記具１００の軸１０２及び筆記具１００のクリップ１０４を差し込む側から内側に向かうに従って、軸受部２１０に支持された筆記具１００の軸１０２の表面から離れる方向であって、クリップ１０４側に向けて低くなるように傾斜している。【選択図】図１
2014205326.tif 000002
【特許請求の範囲】
【請求項１】
筆記具ホルダー部における一方の面側に形成された、筆記具の軸を支持する軸受部と、
筆記具ホルダー部における他方の面側に形成された、筆記具のクリップを当接するクリップ受部とを含み、
前記軸受部は、筆記具の軸及び筆記具のクリップを差し込む側から内側に向かうに従って、軸受部に支持された筆記具の軸の表面から離れる方向であって、クリップ側に向けて低くなるように傾斜した、筆記具ホルダー。
【請求項２】
筆記具ホルダー部における筆記具を保持する保持部は、その一方の面側に形成された、筆記具の軸を支持する軸受部と、その他方の面側に形成された、筆記具のクリップを当接するクリップ受部とを含み、
前記保持部は、筆記具の軸及び筆記具のクリップを差し込む側から内側に向かうに従って薄くなる、筆記具ホルダー。
【請求項３】
軸受部は、筆記具ホルダー部の差し込み側の端縁の近傍に、筆記具を差し込むときに、筆記具の軸とクリップとにより挟み、筆記具の軸を誘導する軸誘導凹部を設けられ、且つ、軸誘導凹部に連続して、軸支持凹部を筆記具の差し込み側より内側に向けて設けられ、
前記軸誘導凹部は、差し込まれた筆記具の軸を受容し、筆記具の軸を保持する軸支持部を構成する、請求項１又は請求項２に記載の筆記具ホルダー。
【請求項４】
前記軸誘導凹部及び／又は軸支持凹部は、他の領域より隆起した隆起部の内側において、軸受部に支持された筆記具の軸とは反対側に、筆記具の軸の形状に対応して凹んで形成された、断面円弧状の凹条であり、
前記凹条の底が、筆記具の軸及び筆記具のクリップを差し込む側から内側に向かうに従って、筆記具の軸の表面から離れる方向に向けて傾斜した、請求項３に記載の筆記具ホルダー。
【請求項５】
用箋挟みボードに設けられた筆記具ホルダーであって、
用箋挟みボードにおける被挟持体を載置される面側に形成された、筆記具の軸を支持する軸受部と、
用箋挟みボードにおける被挟持体を載置される面とは反対側の面に形成された、筆記具のクリップを当接するクリップ受部とを含み、
前記軸受部は、筆記具の軸及び筆記具のクリップを差し込む側から内側に向かうに従って、軸受部に支持された筆記具の軸の表面から離れる方向であって、クリップ側に向けて低くなるように傾斜した、筆記具ホルダーを有する用箋挟み。
【請求項６】
用箋挟みボードに設けられた筆記具ホルダーであって、
筆記具ホルダー部における筆記具を保持する保持部は、その一方の面側に形成された、筆記具の軸を支持する軸受部と、その他方の面側に形成された、筆記具のクリップを当接するクリップ受部とを含み、
前記保持部は、筆記具の軸及び筆記具のクリップを差し込む側から内側に向かうに従って薄くなる、筆記具ホルダーを有する用箋挟み。
【発明の詳細な説明】
【技術分野】
【０００１】
この発明は筆記具ホルダー及びそれを有する用箋挟みに関し、特に、例えば、クリップを有する筆記具を支持する筆記具ホルダー及びその筆記具ホルダーを挟持部材が設けられたボードに設けられ、用箋等をボードと挟持部材とで挟持することができる用箋挟みに関する。
【背景技術】
【０００２】
この発明の背景となる従来の用箋挟みの一例が、たとえば特開平７−１１７３８９号公報に開示されている。
この紙挟みは、方形状の載置板の直交する前縁と左側縁に沿って表面に隆起すると共に、内面が垂直面である隆丘部をそれぞれ設け、前縁の隆丘部の中央位置に載置板との間で用紙を挟持するクリップ機構を、また前縁隆丘部の右端にペンホルダーを夫々設けて成る。
【先行技術文献】
【特許文献】
【０００３】
【特許文献１】特開平７−１１７３８９号公報
【発明の概要】
【発明が解決しようとする課題】
【０００４】
ところが、このような従来の用箋挟みは、その厚みが厚く、複数個を積み重ねて保管するときに嵩張る。
又、その組み立てにも、手数がかかる構造となっている。
そのために、組み立てが容易で、その高さが低い、筆記具ホルダー及びそれを有する用箋挟みを求められており、用箋を載置する載置面を有するボードに付設される筆記具ホルダーも、その高さが低いものが求められている。
【０００５】
それゆえに、この発明の主たる目的は、製作し易く、その高さが低い、筆記具ホルダー及びそれを有する用箋挟みを提供することである。
【課題を解決するための手段】
【０００６】
請求項１の発明にかかる筆記具ホルダーは、筆記具ホルダー部における一方の面側に形成された、筆記具の軸を支持する軸受部と、筆記具ホルダー部における他方の面側に形成された、筆記具のクリップを当接するクリップ受部とを含み、前記軸受部は、筆記具の軸及び筆記具のクリップを差し込む側から内側に向かうに従って、軸受部に支持された筆記具の軸の表面から離れる方向であって、クリップ側に向けて低くなるように傾斜した、筆記具ホルダーである。
この発明の請求項２にかかる筆記具ホルダーにおいては、筆記具ホルダー部における筆記具を保持する保持部は、その一方の面側に形成された、筆記具の軸を支持する軸受部と、その他方の面側に形成された、筆記具のクリップを当接するクリップ受部とを含み、前記保持部は、筆記具の軸及び筆記具のクリップを差し込む側から内側に向かうに従って薄くなる、筆記具ホルダーである。
この発明の請求項３にかかる筆記具ホルダーにおいては、軸受部は、筆記具ホルダー部の差し込み側の端縁の近傍に、筆記具を差し込むときに、筆記具の軸とクリップとにより挟み、筆記具の軸を誘導する軸誘導凹部を設けられ、且つ、軸誘導凹部に連続して、軸支持凹部を筆記具の差し込み側より内側に向けて設けられ、前記軸誘導凹部は、差し込まれた筆記具の軸を受容し、筆記具の軸を保持する軸支持部を構成する、請求項１又は請求項２に記載の筆記具ホルダーである。
この発明の請求項４にかかる筆記具ホルダーにおいては、前記軸誘導凹部及び／又は軸支持凹部は、他の領域より隆起した隆起部の内側において、軸受部に支持された筆記具の軸とは反対側に、筆記具の軸の形状に対応して凹んで形成された、断面円弧状の凹条であり、前記凹条の底が、筆記具の軸及び筆記具のクリップを差し込む側から内側に向かうに従って、筆記具の軸の表面から離れる方向に向けて傾斜した、請求項３に記載の筆記具ホルダーである。
この発明の請求項５にかかる筆記具ホルダーを有する用箋挟みは、用箋挟みボードに設けられた筆記具ホルダーであって、用箋挟みボードにおける被挟持体を載置される面側に形成された、筆記具の軸を支持する軸受部と、用箋挟みボードにおける被挟持体を載置される面とは反対側の面に形成された、筆記具のクリップを当接するクリップ受部とを含み、前記軸受部は、筆記具の軸及び筆記具のクリップを差し込む側から内側に向かうに従って、軸受部に支持された筆記具の軸の表面から離れる方向であって、クリップ側に向けて低くなるように傾斜した、筆記具ホルダーを有する用箋挟みである。
この発明の請求項６にかかる筆記具ホルダーを有する用箋挟みは、用箋挟みボードに設けられた筆記具ホルダーであって、筆記具ホルダー部における筆記具を保持する保持部は、その一方の面側に形成された、筆記具の軸を支持する軸受部と、その他方の面側に形成された、筆記具のクリップを当接するクリップ受部とを含み、前記保持部は、筆記具の軸及び筆記具のクリップを差し込む側から内側に向かうに従って薄くなる、筆記具ホルダーを有する用箋挟みである。
【発明の効果】
【０００７】
この発明にかかる筆記具ホルダーは、筆記具ホルダー部における一方の面側に形成された、筆記具の軸を支持する軸受部と、筆記具ホルダー部における他方の面側に形成された、筆記具のクリップを当接するクリップ受部とを含み、前記軸受部は、筆記具の軸及び筆記具のクリップを差し込む側から内側に向かうに従って、軸受部に支持された筆記具の軸の表面から離れる方向に向けて傾斜しているので、製作がし易く、その高さが低い、筆記具ホルダーを提供することをできる。
この発明にかかる筆記具ホルダーは、筆記具ホルダー部における筆記具を保持する保持部は、その一方の面側に形成された、筆記具の軸を支持する軸受部と、その他方の面側に形成された、筆記具のクリップを当接するクリップ受部とを含み、前記保持部は、筆記具の軸及び筆記具のクリップを差し込む側から内側に向かうに従って薄くなるので、製作がし易く、その高さが低い、筆記具ホルダーを提供することをできる。
請求項３の発明によれば、軸受部は、筆記具ホルダー部の差し込み側の端縁の近傍に、筆記具を差し込むときに、筆記具の軸とクリップとにより挟み、筆記具の軸を誘導する軸誘導凹部を設けられ、且つ、軸誘導凹部に連続して、軸支持凹部を筆記具の差し込み側より内側に向けて設けられ、前記軸誘導凹部は、差し込まれた筆記具の軸を受容し、筆記具の軸を保持する軸支持部を構成するので、筆記具ホルダーに差し込まれた筆記具の軸を確り保持できる。
請求項４の発明によれば、前記軸誘導凹部及び／又は軸支持凹部は、他の領域より隆起した隆起部の内側において、軸受部に支持された筆記具の軸とは反対側に、筆記具の軸の形状に対応して凹んで形成された、断面円弧状の凹条であり、前記凹条の底が、筆記具の軸及び筆記具のクリップを差し込む側から内側に向かうに従って、筆記具の軸の表面から離れる方向に向けて傾斜しているので、筆記具ホルダーに差し込まれた筆記具の軸を確り保持できる。
この発明にかかる筆記具ホルダーを有する用箋挟みは、用箋挟みボードに設けられた筆記具ホルダーであって、用箋挟みボードにおける被挟持体を載置される面側に形成された、筆記具の軸を支持する軸受部と、用箋挟みボードにおける被挟持体を載置される面とは反対側の面に形成された、筆記具のクリップを当接するクリップ受部とを含み、前記軸受部は、筆記具の軸及び筆記具のクリップを差し込む側から内側に向かうに従って、軸受部に支持された筆記具の軸の表面から離れる方向に向けて傾斜しているので、製作がし易く、その高さが低い、筆記具ホルダーを有する用箋挟みを提供することをできる。
この発明にかかる筆記具ホルダーを有する用箋挟みは、用箋挟みボードに設けられた筆記具ホルダーであって、筆記具ホルダー部における筆記具を保持する保持部は、その一方の面側に形成された、筆記具の軸を支持する軸受部と、その他方の面側に形成された、筆記具のクリップを当接するクリップ受部とを含み、前記保持部は、筆記具の軸及び筆記具のクリップを差し込む側から内側に向かうに従って薄くなるので、製作がし易く、その高さが低い、筆記具ホルダーを有する用箋挟みを提供することをできる。
【０００８】
この発明の上述の目的、その他の目的、特徴及び利点は、図面を参照して行う以下の発明を実施するための形態の説明から一層明らかとなろう。
【図面の簡単な説明】
【０００９】
【図１】この発明にかかる紙挟みの一例を示す斜視図解図である。
【図２】図１に示す紙挟みの要部を示す分解斜視図解図である。
【図３】図１に示す紙挟みの要部を示す分解斜視図解図である。
【図４Ａ】図１に示す紙挟みに用いられる台板、付勢部材及び筆記具ホルダーを示す平面図解図である。
【図４Ｂ】図１に示す紙挟みに用いられる台板、付勢部材及び筆記具ホルダーを示す平面図解図である。
【図５Ａ】筆記具ホルダーを示す図解図であり、（Ａ）は平面図解図であり、（Ｂ）は背面図解図である。
【図５Ｂ】筆記具ホルダーを示す図解図であり、（Ａ）は平面図解図であり、（Ｂ）は背面図解図である。
【図６】図１に示す紙挟みの要部を示す横断面図解図である。
【図７】図１に示す紙挟みの要部を示す横断面図解図である。
【図８】図１に示す紙挟みの要部を示す縦断面図解図である。
【図９】筆記具ホルダーの側面図解図である。
【図１０Ａ】筆記具ホルダーに筆記具を差し込んだ状態を示す筆記具ホルダーを示す縦断面図解図である。
【図１０Ｂ】筆記具ホルダーに筆記具を差し込んだ状態を示す筆記具ホルダーを示す縦断面図解図である。
【図１１】図１に示す紙挟みにおいて挟持部材を閉じた状態及び紙を挟んだ状態を示す要部図解図であり、（Ａ）は挟持部材を閉じた状態を示す図であり、（Ｂ）は挟持部材を開いた状態を示す図であり、（Ｃ）は紙を挟んだ状態を示す図である。
【図１２】挟持部材の裏面の斜視図解図である。
【図１３】挟持部材の裏面の底面図解図である。
【図１４】図１に示す紙挟みを組み立てられる状態を示す断面図解図である。
【図１５】図１に示す紙挟みを組み立てられる状態を示す断面図解図である。
【図１６】図１に示す紙挟みを組み立てられる状態を示す断面図解図であり、（Ａ）は枢軸部に軸受部を嵌め込む直前の図であり、（Ｂ）は枢軸部に軸受部を半分嵌め込んだ図であり、（Ｃ）は枢軸部に軸受部を嵌め込んだ図である。
【図１７】他の実施の形態の筆記具ホルダーを示す図解図であり、（Ａ）は平面図解図であり、（Ｂ）は横断面図解図である。
【図１８】筆記具のクリップ機構の縦断面図解図である。
【図１９】筆記具のクリップ機構の縦断面図解図である。
【図２０】紙挟み及び筆記具ホルダーの説明図である。
【発明を実施するための形態】
【００１０】
図１はこの発明にかかる紙挟みの一例を示す斜視図解図であり、図２及び３はその紙挟みの要部を示す分解斜視図解図であり、図４はその紙挟みにおいて挟持部材を閉じた状態及び紙を挟んだ状態を示す要部図解図であり、（Ａ）は挟持部材を閉じた状態を示す図であり、（Ｂ）は挟持部材を開いた状態を示す図であり、（Ｃ）は紙を挟んだ状態を示す図である。
図１に示す紙挟み１０は、たとえば合成樹脂からなる矩形板状の台板２０を含む。台板２０は、直線状の左端縁並びに左端縁と平行な右端縁及び左端縁（右端縁）と直交する上端縁（向こう側端縁）並びに上端縁と平行な下端縁とを備える。
台板２０は、用箋挟みボードを構成し、その表面に、用箋等の被挟持体Ｓを載置する載置面２０ｂを有し、該載置面２０ｂとは反対側に、物品等の上に載置される面を構成する平面状の裏面２０ｃを有する。
台板２０は、向こう側の前縁２０ａと手前側の後縁と、前縁２０ａと後縁との間に連続してのびる右側縁２０ｄと左側縁とを有する。
【００１１】
前記台板２０の載置面２０ｂ側に回動可能に、たとえば合成樹脂からなる挟持部材５０が支持されている。
挟持部材５０は、平面視略方形の挟持部材本体の一方側（手前側）部分に被挟持体Ｓを台板２０との間に挟む挟持部５２が形成され、平面視略方形の挟持部材本体の他方側（向こう側）部分に回動させるときに押すための開用押圧部５４が形成されている。挟持部材５０は、前記挟持部５２が前記台板２０に対して開閉すなわち接離できるように、中間部分の枢結部２２により台板２０に回動可能に連結されている。
前記挟持部材５０は、付勢部材９０により、前記挟持部５２を前記台板２０側に付勢される。
【００１２】
用箋等の被挟持体Ｓは、一般的には長方形の用紙であり、長手辺Ｓ1と短手辺Ｓ2とを備える。台板２０に載置され且つ挟持部材５０に挟持された用箋等の被挟持体Ｓは、挟持部材５０の長手方向に長手辺Ｓ1が直交し、挟持部材５０の幅方向に短手辺Ｓ2が平行になる。
【００１３】
まず、本件発明にかかる筆記具ホルダーに用いるに好適な筆記具１００について説明する。
筆記具１００は、筆記又は製図用のペン（ペン先を有する万年筆、ボールペン、ペン先又はボール以外の筆記尖端をもった蛍光ペン等）、繰出鉛筆、クレヨン、白黒又は類似の印をつけるものを含む。
筆記具１００は、図１８において示すように、円柱状ないし角柱状の軸１０２の尾端にクリップ１０４を形成されている。クリップ１０４は、その先端に球状又は円弧状に成形された玉部１０６を備える。
この筆記具の一例のクリップ１０４は、金属又は合成樹脂で成形され、クリップ１０４のクリップ本体の軸線方向の両端部が内側に折り曲げられて一対の折曲部１１０が形成されている。その折曲部１１０の先端は、円弧状に成形されて玉部１０６が形成されている。
【００１４】
折曲部１１０の尾端部には係止孔が穿設されている。
軸１０２の尾端には、軸線方向の一対の取付壁１１２が形成されている。そして、取付壁１１２には回動支軸１１４が突設されている。
【００１５】
ねじりコイルばねのばね部材１２０は、図１８に示すように、コイル部１２２の両端から作用部１２４ａ，作用部１２４ｂがＶ字状に伸び出しており、作用部１２４ａ，作用部１２４ｂの角度を小さくすることにより弾発力が発生する。
【００１６】
クリップ１０４は、尾端の折曲部１１０を、軸１０２の取付壁１１２に合わせて嵌入され、図１８に示すように、回動支軸１１４を係止孔に嵌め込まれ、軸１０２に対して回動可能に取り付けられる。取付壁１１２間の空間に、ばね部材１２０が取り付けられ、そのばね部材１２０により、クリップ１０４の尾端部が弾発されて拡開し、先端の玉部１０６が軸１０２の表面に圧接する。
【００１７】
而して、クリップ１０４の尾端部を押すと、図１８に示すように、クリップ１０４の先端側が大きく拡開して軸１０２の表面より離れ、クリップ１０４と軸１０２との間において台板２０の筆記具ホルダー部２００に差し込むことをできる。
【００１８】
この筆記具の他の例の筆記具１００のクリップ１０４は、円柱状ないし角柱状の軸１０２の尾端に形成されており、弾性に富んだ金属板で成形されている。
【００１９】
クリップ１０４は、図１９に示すように、尾端側に箱型の連結部１３０が形成され、連結部１３０から先端側に圧接片１３２が延びている。
そして、かかるクリップ１０４の連結部１３０を、図１９に示すように、軸１０２の圧接縁１３４に挿入するが、このとき、クリップ１０４の先端の玉部１０６が軸１０２の表面に圧接してクリップ１０４が挿入される。クリップ１０４、玉部１０６及び圧接片１３２が軸１０２の表裏に圧接する。
【００２０】
而して、クリップ１０４の先端を引っ張ると、クリップ１０４の先端側が大きく拡開して軸１０２の表面より離れ、クリップ１０４と軸１０２との間において台板２０の筆記具ホルダー部２００に差し込むことをできる。
【００２１】
なお、筆記具１００は、キャップにクリップ１０４を取り付けられた筆記具１００もある。かかる筆記具１００は、軸１０２が筆記具１００のペン先に被せるキャップであってもよい。
【００２２】
次に、筆記具ホルダーについて、説明する。
筆記具１００を保持する筆記具ホルダーは、前記台板２０の向こう側の端縁すなわち前縁２０ａの右端部に、右側縁２０ｄに沿って設けてある。
筆記具ホルダーを構成する筆記具ホルダー部２００は、筆記具ホルダー部２００における一方の面側に形成された、筆記具１００の軸１０２を支持する軸受部２１０と、筆記具ホルダー部２００における他方の面側に形成された、筆記具１００のクリップ１０４を当接するクリップ受部２３０とを含む。すなわち、軸受部２１０は、クリップ受部２３０とは反対側の面に形成されており、背中合わせとなる。
台板２０と筆記具ホルダー部２００とは、プラスチックにより一体成形されている。
【００２３】
前記軸受部２１０は、筆記具１００の軸１０２及び筆記具１００のクリップ１０４を差し込む側である、保持部２６０の差し込み端２６２から保持部２６０の内側に向かうに従って、軸受部２１０に支持された筆記具１００の軸１０２の表面から離れる方向であって、クリップ１０４側に向けて低くなるように傾斜している。
筆記具ホルダー部２００における筆記具１００を保持する保持部２６０は、筆記具１００の軸１０２とクリップ１０４とにより挟まれて筆記具１００を保持する部位であり、その一方の面側に形成された、筆記具１００の軸１０２を支持する軸受部２１０と、その他方の面側に形成された、筆記具１００のクリップ１０４を当接するクリップ受部２３０とを含む。前記保持部２６０は、筆記具１００の軸１０２及び筆記具１００のクリップ１０４を差し込む側から内側に向かうに従って薄くなる。
すなわち、軸受部２１０は、保持部２６０の差し込み端２６２から保持部２６０の内側に向かうに従って、台板２０の裏面２０ｃ側に向けて低くなる。
而して、筆記具１００のクリップ１０４と軸１０２とによって軸受部２１０を強く圧接されて、筆記具１００は、筆記具ホルダー部２００から外れることが少なくなる。
【００２４】
軸受部２１０は、筆記具１００を筆記具ホルダー部２００に差し込むときに、筆記具１００の軸１０２とクリップ１０４とにより挟む筆記具ホルダー部２００の保持部２６０における差し込み端２６２の近傍に、筆記具１００の軸１０２を誘導する軸誘導凹部２１２を設けられている。
【００２５】
前記軸誘導凹部２１２は、他の領域より隆起した隆起部２１４の内側に、すなわち、軸受部２１０に支持された筆記具１００の軸１０２とは反対側に向けて、筆記具１００の軸１０２の形状に対応して凹んで形成された、断面円弧状の凹条である。
軸誘導凹部２１２は、挟持部材５０の幅方向と平行で長手方向と直交する。軸誘導凹部２１２は、台板２０の載置面２０ｂに載置された被挟持体Ｓの長手方向に沿ってのびる。
この実施の形態においては、隆起部２１４は、台板２０の被挟持体Ｓの載置面２０ｂより上方、すなわち挟持部材５０を開く方向に向けて、高くもり上がっている。
【００２６】
隆起部２１４は、台板２０の前縁２０ａと直交する方向にのびる第１隆起部２４０と第２隆起部２５０とを備え、軸受部２１０に差し込まれた筆記具１００の軸１０２を第１隆起部２４０と第２隆起部２５０とによって左右両側方から保持するように構成されている。
第２隆起部２５０は、台板２０の右端縁の近傍に形成されており、台板２０の右端縁と平行にのびている。
【００２７】
軸受部２１０は、軸誘導凹部２１２に続いて、軸誘導凹部２１２より内側において差し込まれた筆記具１００の軸１０２を保持する軸支持凹部２１６を備える。
軸支持凹部２１６は、台板吊り下げ部２３４を構成する穴を介して、軸誘導凹部２１２の断面円弧状の凹条に連続した断面円弧状の凹条である。
軸支持凹部２１６は、筆記具１００の軸１０２の形状に対応して凹んで形成されている。
軸支持凹部２１６は、他の領域より隆起した隆起部２１４の内側に、すなわち、軸受部２１０に支持された筆記具１００の軸１０２とは反対側に向けて、筆記具１００の軸１０２の形状に対応して凹んで形成されている。
軸支持凹部２１６は、挟持部材５０の幅方向と平行で長手方向と直交する。軸支持凹部２１６は、台板２０の載置面２０ｂに載置された被挟持体Ｓの長手方向に沿ってのびる。
【００２８】
第１隆起部２４０は、第２隆起部２５０と対向する側面に、軸誘導凹部２１２及び軸支持凹部２１６を構成する断面円弧状の傾斜面を形成されている。
第２隆起部２５０は、第１隆起部２４０と対向する側面に、軸誘導凹部２１２及び軸支持凹部２１６を構成する断面円弧状の傾斜面を形成されている。
第１隆起部２４０及び第２隆起部２５０は、その中央に台板２０の載置面２０ｂより高い頂部を備え、その頂部が台板２０の上端縁と直交する方向に連続する。
第１隆起部２４０及び第２隆起部２５０は、頂部から下方にのびる断面円弧状の傾斜面を備え、その傾斜面が台板２０の向こう側端縁すなわち前縁２０ａと直交する方向に連続する。
第１隆起部２４０の頂部から下方にのびる断面円弧状の傾斜面は、第２隆起部２５０の頂部から下方にのびる断面円弧状の傾斜面と対向しており、第１隆起部２４０の谷底と第２隆起部２５０の谷底とは最も低い位置でつながって、軸誘導凹部２１２及び軸支持凹部２１６を構成する。
この実施の形態においては、軸誘導凹部２１２及び軸支持凹部２１６の谷底は、台板２０の載置面２０ｂより高く、挟持部材５０の上面より低い。
【００２９】
前記軸誘導凹部２１２及び軸支持凹部２１６は、筆記具１００のクリップ１０４の圧接力によって、差し込まれた筆記具１００の軸１０２を受容し、筆記具１００の軸１０２を保持する軸支持部を構成する。
この実施の形態においては、筆記具１００は、筆記具１００の軸１０２の尾端側が軸誘導凹部２１２及び軸支持凹部２１６で支持され、筆記具１００の先端側が筆記具ホルダー部２００の載置面２０ｂ側の表面で支持される。
【００３０】
クリップ受部２３０は、筆記具１００を筆記具ホルダー部２００に差し込むときに、筆記具１００の軸１０２とクリップ１０４とにより挟む筆記具ホルダー部２００の保持部２６０における差し込み端２６２の近傍に、筆記具１００のクリップ１０４を誘導するクリップ誘導凹部２３２を設けられている。
【００３１】
クリップ誘導凹部２３２は、他の領域より凹んだ断面円弧状の凹条によって形成され、該凹条の内側面は、筆記具１００のクリップ１０４の玉部１０６の形状に対応して凹んで形成されている。
クリップ誘導凹部２３２は、挟持部材５０の幅方向と平行で長手方向と直交する。軸誘導凹部２１２は、台板２０の載置面２０ｂに載置された被挟持体Ｓの長手方向に沿ってのびる。
クリップ誘導凹部２３２を構成する凹条は、台板２０の前縁２０ａと直交する方向にのび、筆記具１００のクリップ１０４を差し込むときに、玉部１０６を筆記具ホルダー部２００の内側に向けて誘導するように形成されている。
この実施の形態においては、クリップ誘導凹部２３２を構成する凹条は、台板２０の裏面２０ｃ（他の領域を構成する）より軸受部２１０側に向けて凹んで形成されている。
【００３２】
前記クリップ誘導凹部２３２に連続して、筆記具１００のクリップ１０４の差し込み側より内側に、筆記具１００のクリップ１０４の玉部１０６を保持することもできる、台板吊り下げ部２３４が形成されている。
クリップ受部２３０は、筆記具１００をクリップ受部２３０に差し込むときに筆記具１００のクリップ１０４の玉部１０６を摺動させる摺動傾斜部２３６を形成されている。
【００３３】
摺動傾斜部２３６は、クリップ受部２３０の筆記具１００の差し込み側である保持部２６０における差し込み端２６２の近傍に形成されている。摺動傾斜部２３６は、筆記具１００の差し込み側においては軸誘導凹部２１２との間の厚さが薄く、差し込み側より内部に向かうに従って軸誘導凹部２１２との間の厚さが厚くなっている。
【００３４】
台板吊り下げ部２３４は、建物や家具の壁面などにある引掛具に引っ掛けて紙挟み１０を保持させる穴である。
台板吊り下げ部２３４は、筆記具１００のクリップ１０４の先端にある玉部１０６を、嵌合することができる穴で構成されており、玉部１０６の外周より一回り大きな貫通孔である。
【００３５】
クリップ受部２３０は、クリップ誘導凹部２３２に続いて、差し込まれた筆記具１００の軸１０２を保持するクリップ保持凹部２３８を備える。
クリップ保持凹部２３８は、台板吊り下げ部２３４を構成する穴を介して、クリップ誘導凹部２３２の断面円弧状の凹条に連続した断面円弧状の凹条である。
クリップ保持凹部２３８は、筆記具１００のクリップ１０４の形状に対応して凹んで形成されている。
クリップ保持凹部２３８は、他の領域より（台板２０の裏面２０ｃより）軸支持凹部２１６側に、すなわち、軸受部２１０に支持された筆記具１００の軸１０２側に向けて、筆記具１００のクリップ１０４及び玉部１０６の形状に対応して凹んで形成されている。
【００３６】
軸誘導凹部２１２は、挟持部材５０の幅方向と平行で長手方向と直交する。軸誘導凹部２１２は、台板２０の載置面２０ｂに載置された被挟持体Ｓの長手方向に沿ってのびる。
前記軸誘導凹部２１２は、凹部の底が、筆記具１００の軸１０２及び筆記具１００のクリップ１０４を差し込む側である保持部２６０の差し込み端２６２から内側に向かうに従って、筆記具１００の軸１０２の表面から離れる方向であって、クリップ１０４側に向けて低くなるように傾斜している。
筆記具ホルダー部２００における筆記具１００を保持する保持部２６０は、その一方の面側に形成された、筆記具１００の軸１０２を支持する軸受部２１０と、その他方の面側に形成された、筆記具１００のクリップ１０４を当接するクリップ受部２３０との間に形成され、前記保持部２６０は、筆記具１００の軸１０２及び筆記具１００のクリップ１０４を差し込む側から内側に向かうに従って薄くなる。
軸受部２１０とクリップ受部２３０との間、特に軸誘導凹部２１２とクリップ誘導凹部２３２との間の保持部２６０は、筆記具１００の軸１０２とクリップ１０４との間の間隔と略同じかそれよりも厚く形成されている。
【００３７】
軸支持凹部２１６は、凹部の底が、筆記具１００の軸１０２及び筆記具１００のクリップ１０４を差し込む側から内側に向かうに従って、筆記具１００の軸１０２の表面から離れる方向に向けて傾斜している。
軸支持凹部２１６は、筆記具１００の差し込み側より内側において、段差部２１８が形成されている。
而して、筆記具ホルダー部２００に保持された筆記具１００の軸１０２は、軸誘導凹部２１２及び軸支持凹部２１６に当接され、且つ、軸１０２のペン先の近傍は、台板２０の表面に当接されて、筆記具１００のクリップ１０４のばね部材１２０の弾力性又はクリップ１０４の弾力性によって、筆記具１００は筆記具ホルダー部２００に確り保持される。
【００３８】
保持部２６０の差し込み端２６２は、円弧状の凹み２６４を形成され、該凹み２６４は、筆記具１００を保持部２６０に差し込むときのガイドとなる。
【００３９】
次に、用箋挟みの構造について、主として図１１ないし図１６に基づいて、説明する。
台板２０の上端部（向こう側部）には、台板２０に挟持部材５０を枢結する枢結部２２を構成する２つの挟持部材の支持用の第１枢軸部２４ａと第２枢軸部２４ｂとが、左右に間隔を隔てて形成される。
これらの第１枢軸部２４ａ及び第２枢軸部２４ｂは、挟持部材５０を回動可能に支持するためのものである。これらの第１枢軸部２４ａ及び第２枢軸部２４ｂは、それぞれ、略円柱状に形成される。
第１枢軸部２４ａ及び第２枢軸部２４ｂを有する枢結部２２は、載置面２０ｂより低い位置に形成されている。
台板２０は、挟持部材５０の裏面に設けられた第１軸受部５８ａ及び第２軸受部５８ｂを通過させて、第１軸受部５８ａ及び第２軸受部５８ｂを第１枢軸部２４ａ及び第２枢軸部２４ｂの下方に位置させて挟持部材５０を連結するための第１開口部２６を有する移動可能部２８を形成されている。
第１開口部２６は、台板２０の載置面２０ｂと略々同じ高さ位置ないしは台板２０の載置面２０ｂより低い位置に形成されている。
前記移動可能部２８は、前記挟持部材５０に形成された枢結部２２を、挟持部５２側より開用押圧部５４側に向けて相対移動させて連結するために、台板２０の載置面２０ｂと略同一の高さにあるないしは台板２０の載置面２０ｂより低い位置にある第１開口部２６に続いて前記台板２０の載置面２０ｂより低く凹設されている。
この実施の形態においては、第１枢軸部２４ａは、台板２０の幅方向にのびてその両端を枢軸支持部３０ａ及び枢軸支持部３０ｂで支持され、第２枢軸部２４ｂは、台板２０の幅方向にのびてその両端を枢軸支持部３２ａ及び枢軸支持部３２ｂで支持される。
移動可能部２８は、第１枢軸部２４ａ及び第２枢軸部２４ｂの下面より下方の領域において、第１開口部２６に続く第１枢軸部２４ａ及び第２枢軸部２４ｂと対向する領域を、斜めに切り欠かれている。そして、移動可能部２８は、第１開口部２６から入り込んだ挟持部材５０の第１軸受部５８ａ及び第２軸受部５８ｂを、台板２０の載置面２０ｂ側から斜め下方、すなわち第１枢軸部２４ａ及び第２枢軸部２４ｂの下部に向けて滑り込み易くなるように構成されている。
【００４０】
そして、第１枢軸部２４ａ及び第２枢軸部２４ｂは、台板２０の載置面２０ｂより下方にその下部が位置し、第１枢軸部２４ａ及び第２枢軸部２４ｂの下方に、移動可能部２８に続いて断面円弧状の間隙を形成されている。
前記台板２０は、前記第１枢軸部２４ａ及び第２枢軸部２４ｂの下方に、挟持部材５０の前記第１軸受部５８ａ及び第２軸受部５８ｂを収容するための断面半円弧状の間隙を形成され、前記間隙は、移動可能部２８に続いて、移動可能部２８と比して前記台板２０の載置面２０ｂより一段と低く凹設されている。
【００４１】
さらに、台板２０は、第１枢軸部２４ａ及び第２枢軸部２４ｂの外側の周辺に、付勢部材用支持部４０を形成される。これらの付勢部材用支持部４０は、挟持部材５０及び／又は台板２０を相対移動させるときに付勢部材９０の移動を阻止するとともに、付勢部材用支持部４０を台板２０の固定位置に固定するために形成されたものである。
付勢部材用支持部４０は、第１枢軸部２４ａ及び第２枢軸部２４ｂの手前側において、台板２０の幅方向にのびるブロック状の第１付勢部材用支持部４２を有する。
第１枢軸部２４ａ及び第２枢軸部２４ｂの手前側と第１付勢部材用支持部４２の向こう側との間には、台板２０の幅方向にのびる、付勢部材９０を装入するための空間を形成されている。
また、付勢部材用支持部４０は、枢軸支持部３０ａの左横において、手前側から向こう側にのびる溝状に形成された第２付勢部材用支持部４４ａと、さらに、枢軸支持部３２ａの右横において、手前側から向こう側にのびる溝状に形成された第３付勢部材用支持部４４ｂとを有する。
第２付勢部材用支持部４４ａ及び第３付勢部材用支持部４４ｂは、前記第１枢軸部２４ａ及び第２枢軸部２４ｂと第１付勢部材用支持部４２との間の空間に連続して、手前側から向こう側にのびる、付勢部材９０を装入するための空間を有する。
さらに、付勢部材用支持部４０は、左側の枢軸支持部３０ａの手前側端に形成された第４付勢部材用支持部４６ａと、右側の枢軸支持部３０ｂの手前側端に形成された第５付勢部材用支持部４６ｂとを有する。
第４付勢部材用支持部４６ａ及び第５付勢部材用支持部４６ｂは、第１枢軸部２４ａ及び第２枢軸部２４ｂと第１付勢部材用支持部４２との間の空間と連続し、且つ、第２付勢部材用支持部４４ａ及び第３付勢部材用支持部４４ｂの空間にも連続して、台板２０の幅方向にのび、付勢部材９０を装入するための空間を有する。
この実施の形態においては、第４付勢部材用支持部４６ａ及び第５付勢部材用支持部４６ｂは、手前側に向いて開口する断面半円弧状の凹条であり、該凹条は台板２０の幅方向にのびる。
付勢部材用支持部４０を構成する前記空間は、略々同じ高さ位置に形成されており、台板２０の載置面２０ｂと略々同じ高さかあるいは載置面２０ｂより低い位置に形成されている。
【００４２】
前記挟持部材５０は、枢結部２２を構成する、前記台板２０の第１枢軸部２４ａ及び第２枢軸部２４ｂに対応する断面半円弧状の第１軸受部５８ａ及び第２軸受部５８ｂを、挟持部材本体の下面（裏面）に突設されている。そして、前記台板２０は、前記したように、前記第１枢軸部２４ａ及び第２枢軸部２４ｂの下方に、挟持部材５０の前記第１軸受部５８ａ及び第２軸受部５８ｂを収容するための断面半円弧状の間隙を形成され、前記間隙は、移動可能部２８に続いて、前記台板２０の載置面２０ｂより低く凹設され、第１枢軸部２４ａ及び第２枢軸部２４ｂの下面の下方に形成されている。
【００４３】
台板２０の第１枢軸部２４ａ及び第２枢軸部２４ｂを枢支するための枢結部２２を構成する前記第１軸受部５８ａ及び第２軸受部５８ｂは、前記台板２０において斜め下方にのびる移動可能部２８に対応して、挟持部５２側より開用押圧部５４側に向けて斜め下方にのびる傾斜面を裏面に形成されている。台板２０の第１枢軸部２４ａと第２枢軸部２４ｂとは左右対称であり、それに対応して、第１枢軸部２４ａに連結される第１軸受部５８ａと第２枢軸部２４ｂに連結される第２軸受部５８ｂとは対称に形成されている。
第１軸受部５８ａ及び第２軸受部５８ｂは、前記台板２０の第１開口部２６から移動可能部２８を経て移動させ第１枢軸部２４ａ及び第２枢軸部２４ｂの下方に位置させて、第１枢軸部２４ａ及び第２枢軸部２４ｂに連結されるように、前記台板２０の第１枢軸部２４ａ及び第２枢軸部２４ｂを通過させるための第２開口部６０ａ及び第２開口部６０ｂを形成されている。第１枢軸部２４ａに連結される左側の第１軸受部５８ａの第２開口部６０ａと第２枢軸部２４ｂに連結される右側の第２軸受部５８ｂの第２開口部６０ｂとは、同一の形状を備えている。
【００４４】
第１軸受部５８ａの第２開口部６０ａと第２軸受部５８ｂの第２開口部６０ｂとは、同一の形状を備えており、第１枢軸部２４ａと第２枢軸部２４ｂとにそれぞれ嵌合する断面半円弧状の軸当接面６６に続いて形成された上壁部６２と下壁部６４とを有している。
上壁部６２の奥側端６２ａと下壁部６４の奥側端６４ａとの間隔は、第１枢軸部２４ａ及び第２枢軸部２４ｂの直径より若干短く構成されている。
上壁部６２の入り口端６２ｂと下壁部６４の入り口端６４ｂとの間隔は、第１枢軸部２４ａ及び第２枢軸部２４ｂの直径と略々同一に構成されている。
上壁部６２の入り口端６２ｂと上壁部６２の奥側端６２ａとを結んだ面及び下壁部６４の入り口端６４ｂと下壁部６４の奥側端６４ａとを結んだ面は、奥側から外側（入り口側）に向かうに従って拡がり、その面を第１枢軸部２４ａ及び第２枢軸部２４ｂの外面形状に沿って円弧状に形成されている。
【００４５】
挟持部材５０は、開用押圧部５４の先端と第２開口部６０ａ及び第２開口部６０ｂの上壁部６２の入り口端６２ｂとの間の長さは、挟持部材５０を斜め下方に向けて下降させて第１枢軸部２４ａ及び第２枢軸部２４ｂと第１軸受部５８ａ及び第２軸受部５８ｂとを嵌め込めるようにするために適する長さとしている。
又、挟持部材５０における開用押圧部５４の先端と第１軸受部５８ａ及び第２軸受部５８ｂにおける第１枢軸部２４ａ及び第２枢軸部２４ｂを嵌合する軸当接面６６との間の長さは、第１枢軸部２４ａ及び第２枢軸部２４ｂを中心に回動させて挟持部材５０を付勢部材９０の付勢力に抗して押し下げて、挟持部５２を開くために適する長さとしている。
【００４６】
挟持部材５０の第２開口部６０ａ及び第２開口部６０ｂは、挟持部材５０の第１軸受部５８ａ及び第２軸受部５８ｂを第１枢軸部２４ａ及び第２枢軸部２４ｂの下方の間隙に至らしめて第１枢軸部２４ａ及び第２枢軸部２４ｂに第１軸受部５８ａ及び第２軸受部５８ｂを嵌め込んだとき、第２開口部６０ａ及び第２開口部６０ｂの下壁部６４の入り口端６４ｂ及び第２開口部６０ａ及び第２開口部６０ｂの下壁部６４の奥側端６４ａを第１枢軸部２４ａ及び第２枢軸部２４ｂの中心を通る垂線よりも向こう側に至るように構成されている。
第１軸受部５８ａ及び第２軸受部５８ｂは、軸当接面６６によって第１枢軸部２４ａ及び第２枢軸部２４ｂの外面を、向こう側を除き４分の３程度覆うように構成されている。
【００４７】
前記挟持部材５０は、挟持部材５０を付勢する付勢部材９０の屈曲又はわん曲部９２に対応した付勢部材固定凹部７０を、挟持部材本体の裏面に形成されている。
前記付勢部材固定凹部７０は、底面視Ｕ字形であり、付勢部材９０の屈曲又はわん曲部９２の平面視Ｕ字形の形状に対応する。そして、付勢部材固定凹部７０は、付勢部材９０の屈曲又はわん曲部９２の付勢部材用支持部４０の空間よりの上昇角度に対応して、挟持部材５０の前記相対移動の始点側から終点側に向けて、凹みの深さが徐々に深くなるように形成されている。
【００４８】
前記付勢部材９０は、台板２０より上方に突き出た領域において付勢部を構成する屈曲又はわん曲部９２と、前記屈曲又はわん曲部９２の両端に延設された第１固定部９４ａ並びに第１固定部９４ｂ及び第１固定部９４ａの端に延設された第２固定部９６ａ並びに第１固定部９４ｂの端に延設された第２固定部９６ｂとを備えた弾力性を有する金属製線材により構成される。
付勢部材９０は、直線状の弾力性を有する金属製線材を屈曲ないしはわん曲させて、一体成形されている。
第１固定部９４ａ及び第１固定部９４ｂは、前記相対移動の終点側において屈曲又はわん曲部９２の両端から左右にのびるようにすなわち台板２０の幅方向にのびるように形成された、付勢部材用支持部４０に対応する直線状である。第１固定部９４ａ及び第１固定部９４ｂは、付勢部材用支持部４０の第１付勢部材用支持部４２の向こう側の空間に装入され、付勢部材用支持部４０の第１付勢部材用支持部４２の向こう側面に当接させて台板２０に固定される。更に、左側にのびる第１固定部９４ａは、第４付勢部材用支持部４６ａに装入され、第４付勢部材用支持部４６ａの手前側に当接され、右側にのびる第１固定部９４ｂは、第５付勢部材用支持部４６ｂに装入され、第５付勢部材用支持部４６ｂの手前側に当接され、台板２０に固定される。
第２固定部９６ａは、屈曲又はわん曲部９２ののびる方向と平行な方向で第１固定部９４ａの端部より向こう側に向けてのびるように構成され、第２固定部９６ｂは、屈曲又はわん曲部９２ののびる方向と平行な方向で第１固定部９４ｂの端部より向こう側に向けてのびるように構成される。第１固定部９４ａの端部よりのびた左側の第２固定部９６ａは、第２付勢部材用支持部４４ａに嵌め込まれ、第１固定部９４ｂの端部よりのびた右側の第２固定部９６ｂは、右側の第３付勢部材用支持部４４ｂに嵌め込まれて、台板２０に固定される。
第１固定部９４ａ並びに第１固定部９４ｂ及び第２固定部９６ａ並びに第２固定部９６ｂは、略同一の高さ位置において、付勢部材用支持部４０の空間に装入され、台板２０の載置面２０ｂと略同一かそれより低い位置において台板２０に固定される。
【００４９】
さらに、台板２０には、付勢部材用支持部４０の第１付勢部材用支持部４２の手前において、略３角柱状の２つの滑り止部４８ａ及び滑り止部４８ｂが上下に間隔を隔てて形成される。滑り止部４８ａ及び滑り止部４８ｂは、滑り止部４８ａと滑り止部４８ｂとの間に挟持部材５０の挟持部５２の先端が嵌まり込み、この紙挟み１０で挟持した書類等を台板２０から滑りにくくするためのものである。
【００５０】
台板２０は、左端部、上端左側部及び上端右側部に、段差部をそれぞれ形成してもよい。これらの段差部は、載置された被挟持体Ｓが台板２０の外側にはみださないように、被挟持体Ｓの左端部及び上端部の移動を台板２０に対して規制するためのものである。
【００５１】
筆記具ホルダー部２００の軸受部２１０は、第１隆起部２４０及び第２隆起部２５０が挟持部材５０の長手方向に沿って並列されている。
筆記具ホルダー部２００の軸受部２１０は、第１隆起部２４０及び第２隆起部２５０が挟持部材５０の幅方向に沿ってのびている。
【００５２】
筆記具ホルダー部２００の第１隆起部２４０及び第２隆起部２５０の高さは、枢軸支持部３０ａ及び枢軸支持部３２ａより低い。
筆記具ホルダー部２００の軸受部２１０は、隆起部２１４の高さが、挟持部材５０の高さと同等かそれ以下である。
【００５３】
筆記具ホルダー部２００の軸受部２１０は、隆起部２１４が、台板２０と挟持部材５０との間に挟持された被挟持体Ｓの長手方向（具体的には長手端縁）もしくは幅方向（具体的には短手端縁）と略々平行にのびる。
【００５４】
筆記具ホルダー部２００のクリップ受部２３０は、挟持部材５０が在る面の側に凹んでいる。
クリップ受部２３０のクリップ誘導凹部２３２は、挟持部材５０の幅方向に沿ってのび、台板２０と挟持部材５０との間に挟持された被挟持体Ｓの長手方向（具体的には長手端縁）もしくは幅方向（具体的には短手端縁）と略々平行にのびる。
【００５５】
次に、前記実施の形態にかかる紙挟み１０の使用方法について、主として図１０ないし図１６に基づいて説明する。
【００５６】
挟持部材５０を台板２０に装着した状態では、付勢部材９０は、その屈曲又はわん曲部９２が初期の軸線位置（図１４参照）から向こう側に強制的に変位させられた状態、すなわち、ねじり変形させられた状態となる。従って、挟持部材５０は、付勢部材９０が初期の無負荷の形状に戻ろうとする復元力を受けて、挟持部材５０の挟持部５２が台板２０の載置面２０ｂに常に接する状態に保たれ、同時に、挟持部材５０の表面も台板２０と略水平となる位置に保たれる。
【００５７】
この紙挟み１０は、図１１に示すように、台板２０に対して挟持部材５０の挟持部５２を付勢部材９０の付勢力で閉じるように形成されている。
この紙挟み１０は、挟持部材５０の開用押圧部５４を押圧することによって、台板２０に対して挟持部材５０の挟持部５２を付勢部材９０の付勢力に抗して開くことができる。
【００５８】
筆記具１００を筆記具ホルダー部２００に保持させるときは、筆記具ホルダー部２００の台板２０の上端縁と並ぶ筆記具１００の差し込み側端縁から、軸１０２とクリップ１０４との間に保持部２６０を嵌入するように筆記具１００を差し込む。
筆記具１００を筆記具ホルダー部２００に差し込むときは、筆記具１００のクリップ１０４を軸１０２から引き離すように玉部１０６が摺動傾斜部２３６に沿って差し込み、更に内側に差し込むと、クリップ１０４の玉部１０６が台板吊り下げ部２３４の孔内に嵌入され、更に、筆記具１００の軸１０２及びクリップ１０４を内側（手前側）に向けて、すなわち軸支持凹部２１６及びクリップ保持凹部２３８側に向けて差し入れる。
而して、筆記具１００は、軸１０２が筆記具ホルダー部２００の軸受部２１０に保持され、クリップ１０４がクリップ受部２３０に保持され、紙挟み１０と共に筆記具１００を持ち運べる等、共に使用することができる。
【００５９】
なお、上述の紙挟み１０は、筆記具ホルダー部２００の軸受部２１０及びクリップ受部２３０等が特定の形状を有するが、この発明の思想に基づき、それらは他の形状に変更されてもよい。
前記実施の形態においては、筆記具ホルダー部２００は、紙挟み１０の台板２０と一体的に形成されていたが、本発明にかかる筆記具ホルダーは、図１７に示すように、単独の物品３００とは別々の単独の物品ないしは部品である筆記具ホルダーとして形成されてもよい。
単独の筆記具ホルダーは、筆記具ホルダー部２００の側部に設けられた取付部２８０により、単独の物品３００に形成された取付部３０２に嵌合等の固定手段で連結すればよい。
【符号の説明】
【００６０】
１０  紙挟み
２０  台板
２０ａ  前縁
２０ｂ  （被挟持体の）載置面
２０ｃ  裏面
２０ｄ  右側縁
２２  枢結部
２４ａ  第１枢軸部
２４ｂ  第２枢軸部
２６  第１開口部
２８  移動可能部
３０ａ，３０ｂ，３２ａ，３２ｂ  枢軸支持部
４０  付勢部材用支持部
４２  第１付勢部材用支持部
４４ａ  第２付勢部材用支持部
４４ｂ  第３付勢部材用支持部
４６ａ  第４付勢部材用支持部
４６ｂ  第５付勢部材用支持部
４８ａ，４８ｂ  滑り止部
５０  挟持部材
５２  挟持部
５４  開用押圧部
５８ａ  第１軸受部
５８ｂ  第２軸受部
６０ａ，６０ｂ  第２開口部
６２  上壁部
６２ａ  上壁部の奥側端
６２ｂ  上壁部の入り口端
６４  下壁部
６４ａ  下壁部の奥側端
６４ｂ  下壁部の入り口端
６６  軸当接面
７０  付勢部材固定凹部
９０  付勢部材
９２  屈曲又はわん曲部
９４ａ，９４ｂ  第１固定部
９６ａ，９６ｂ  第２固定部
１００  筆記具
１０２  軸
１０４  クリップ
１０６  玉部
１１０  折曲部
１１２  取付壁
１１４  回動支軸
１２０  ばね部材
１２２  コイル部
１２４ａ，１２４ｂ  作用部
１３０  連結部
１３２  圧接片
１３４  圧接縁
２００  筆記具ホルダー部
２１０  軸受部
２１２  軸誘導凹部
２１４  隆起部
２１６  軸支持凹部
２１８  段差部
２３０  クリップ受部
２３２  クリップ誘導凹部
２３４  台板吊り下げ部
２３６  摺動傾斜部
２３８  クリップ保持凹部
２４０  第１隆起部
２５０  第２隆起部
２６０  保持部
２６２  差し込み端
２６４  凹み
２８０，３０２  取付部
３００  単独の物品
Ｓ  被挟持体
Ｓ1  長手辺
Ｓ2  短手辺
【図１】
2014205326.tif 000003
【図２】
2014205326.tif 000004
【図３】
2014205326.tif 000005
【図４Ａ】
2014205326.tif 000006
【図４Ｂ】
2014205326.tif 000007
【図５Ａ】
2014205326.tif 000008
【図５Ｂ】
2014205326.tif 000009
【図６】
2014205326.tif 000010
【図７】
2014205326.tif 000011
【図８】
2014205326.tif 000012
【図９】
2014205326.tif 000013
【図１０Ａ】
2014205326.tif 000014
【図１０Ｂ】
2014205326.tif 000015
【図１１】
2014205326.tif 000016
【図１２】
2014205326.tif 000017
【図１３】
2014205326.tif 000018
【図１４】
2014205326.tif 000019
【図１５】
2014205326.tif 000020
【図１６】
2014205326.tif 000021
【図１７】
2014205326.tif 000022
【図１８】
2014205326.tif 000023
【図１９】
2014205326.tif 000024
【図２０】
2014205326.tif 000025